(57)【要約】【課題】コンパクトな構成で、排出された用紙の温度を正確に検知することができる画像形成装置を提供する。【解決手段】複合機１１は、定着ローラー２９ａ、２９ｂと、排出トレイ１９と、アクチュエーター３６と、サーミスタ４１とを備える。排出トレイ１９は、定着ローラー２９ａ、２９ｂに対して用紙２１の搬送方向下流側であって複合機１１外に設けられており、用紙２１に対するトナー像の定着後、複合機１１外に排出される用紙２１をその上に積層する。アクチュエーター３６は、用紙２１の搬送方向に移動可能であり、排出トレイ１９に用紙が排出される際に用紙２１に当接して、用紙２１が排出トレイ１９に排出されたことを検知する。サーミスタ４１は、排出トレイ１９に排出された用紙２１と当接する位置であって複合機１１外に設けられ、用紙２１の温度を検知する。【選択図】図２
2018016467.tif 000002
【特許請求の範囲】
【請求項１】
用紙に画像を形成する画像形成装置であって、
トナーによる可視画像であるトナー像を形成する現像器と、
前記現像器により形成された前記トナー像を用紙に転写する転写部と、
前記転写部に対して前記用紙の搬送方向下流側であって前記画像形成装置内に設けられており、前記転写部により前記トナー像が転写された前記用紙を下流側に搬送しながら前記トナー像を前記用紙に定着させる定着ローラーと、
前記定着ローラーに対して前記用紙の搬送方向下流側であって前記画像形成装置外に設けられており、前記用紙に対する前記トナー像の定着後、前記画像形成装置外に排出される前記用紙を積層する排出トレイと、
前記排出トレイに前記用紙が排出される際に前記用紙に当接して、前記用紙が前記排出トレイに排出されたことを検知する用紙検知部と、
前記排出トレイに排出された前記用紙と当接する位置であって前記画像形成装置外に設けられ、前記用紙の温度を検知する温度検知部とを備える、画像形成装置。
【請求項２】
前記温度検知部は、前記用紙検知部の一部であって、前記排出トレイに排出される前記用紙と当接する位置に設けられている、請求項１に記載の画像形成装置。
【請求項３】
前記温度検知部は、その上に排出された前記用紙が積載される前記排出トレイの一部に設けられている、請求項１または２に記載の画像形成装置。
【請求項４】
前記温度検知部は、前記排出トレイのうち、排出される前記用紙の後端側に位置するように設けられている、請求項３に記載の画像形成装置。
【請求項５】
データを記憶する記憶部と、
前記記憶部に記憶された連続印刷の時間、連続印刷の１枚目の用紙の温度および連続印刷の最後に排出される前記用紙の温度のそれぞれの相関関係のデータに基づいて、最も上に積載される前記用紙の温度を導出する温度導出部をさらに備える、請求項３または４に記載の画像形成装置。
【発明の詳細な説明】
【技術分野】
【０００１】
この発明は、画像形成装置に関するものである。
【背景技術】
【０００２】
複合機に代表される画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
画像形成装置において、装置外に出力された用紙は、排出トレイ上に排出され、積載されていく。ここで、排出された用紙が積載されていくと、排出された用紙の温度が十分に下がりきらず、過度に熱くなってしまう。そうすると、一旦用紙に定着されたトナーが融けてしまって、排出された用紙同士がひっついてしまうおそれがある。特に、昨今における低温定着のトナーを利用した場合は、このような傾向が強い。したがって、排出された用紙の温度を管理し、必要に応じて排出された用紙を冷却する必要がある。排出された用紙の冷却に関する技術が、特開２００７−７６８６７号公報（特許文献１）、および実開平１−８８９４８号公報（特許文献２）に開示されている。
【０００４】
特許文献１に開示のシート積載装置は、加熱処理されたシートを積載させるシート積載手段を有する。シート積載装置は、シートの温度を検知する温度検知手段と、シートを冷却する冷却手段と、温度が所定値を超えた場合に冷却手段を作動させてシートを冷却させる制御手段とを備えることを特徴としている。
【０００５】
また、特許文献２に開示の転写紙ブロッキング防止装置は、転写工程終了後の転写紙を排紙トレイに向けて搬送するための搬送路にヒートローラー付の定着装置を配置している複写機において、上記搬送路上、定着装置の下流に設けたサーミスタと、このサーミスタに転写紙を密着させ得るよう該サーミスタに対向配置されている対向ローラーと、該サーミスタの下流に配置された冷却ファンと、該サーミスタの出力を入力してこの入力に基づき上記冷却ファンの駆動を制御する温度制御手段を有することを特徴としている。
【先行技術文献】
【特許文献】
【０００６】
【特許文献１】特開２００７−７６８６７号公報
【特許文献２】実開平１−８８９４８号公報
【発明の概要】
【発明が解決しようとする課題】
【０００７】
特許文献１に開示の技術によると、非接触で用紙の温度を検知することとしている。しかし、このような構成では、センサーと用紙との間の距離が変わるため、正確に温度を検知することができない。また、特許文献２に開示の技術では、装置内にサーミスタを設ける構成としているため、装置のサイズが大きくなりかねない。すなわち、複写機内において高温を発する定着装置の影響を少なくしようとすると、定着装置から離れた位置にサーミスタを設ける必要がある。そうすると、結果として複写機のサイズが大きくなってしまうこととなる。
【０００８】
この発明の目的は、コンパクトな構成で、排出された用紙の温度を正確に検知することができる画像形成装置を提供することである。
【課題を解決するための手段】
【０００９】
この発明に係る画像形成装置は、用紙に画像を形成する。画像形成装置は、現像器と、転写部と、定着ローラーと、排出トレイと、用紙検知部と、温度検知部とを備える。現像器は、トナーによる可視画像であるトナー像を形成する。転写部は、現像器により形成されたトナー像を用紙に転写する。定着ローラーは、転写部に対して用紙の搬送方向下流側であって画像形成装置内に設けられており、転写部によりトナー像が転写された用紙を下流側に搬送しながらトナー像を用紙に定着させる。排出トレイは、定着ローラーに対して用紙の搬送方向下流側であって画像形成装置外に設けられており、用紙に対するトナー像の定着後、画像形成装置外に排出される用紙をその上に積層する。用紙検知部は、排出トレイに用紙が排出される際に用紙に当接して、用紙が排出トレイに排出されたことを検知する。温度検知部は、排出トレイに排出された用紙と当接する位置であって画像形成装置外に設けられ、用紙の温度を検知する。
【発明の効果】
【００１０】
このような画像形成装置によれば、画像形成装置外に温度検知部が設けられているため、画像形成装置の大きさを不必要に大きくする必要はなく、画像形成装置をコンパクトな構成とすることができる。また、温度検知部は用紙と当接する位置であって画像形成装置外に設けられているため、正確に用紙の温度を検知することができる。したがって、このような構成の画像形成装置は、コンパクトな構成で、正確に排出された用紙の温度を検知することができる。
【図面の簡単な説明】
【００１１】
【図１】この発明の一実施形態に係る画像形成装置を複合機に適用した場合の複合機の外観を示す概略図である。
【図２】この発明の一実施形態に係る複合機に備えられる排出トレイの近辺の構成を示す図であり、排出トレイ上に排出された用紙の量が少ない場合を示す。
【図３】この発明の一実施形態に係る複合機に備えられる排出トレイの近辺の構成を示す図であり、排出トレイ上に排出された用紙の量が多い場合を示す。
【図４】排出された用紙の温度を管理する場合の処理の流れを示すフローチャートである。
【図５】この発明の他の実施形態に係る複合機に備えられる排出トレイの近辺の構成を示す図である。
【図６】図５に示す場合の複合機の構成を示すブロック図である。
【図７】用紙の温度と連続印刷の時間との関係を示すグラフである。
【発明を実施するための形態】
【００１２】
以下、この発明の実施の形態を説明する。図１は、この発明の一実施形態に係る画像形成装置を複合機に適用した場合の複合機１１を示す図である。図２および図３は、複合機１１に備えられる後述する排出トレイ１９の近辺の構成を示す図である。図２は、排出トレイ１９上に排出された用紙２１の量が少ない場合を示し、図３は、排出トレイ１９上に排出された用紙２１の量が多い場合を示す。なお、搬送路を搬送される用紙２１の搬送方向については、太線の矢印Ｄ１の方向で示している。また、図１において、後述する冷却ファン３３等の構成については図示を省略しており、排出トレイ１９の近辺の構成については概略的に図示している。
【００１３】
図１〜図３を参照して、複合機１１は、画像処理に関し、複写機能、プリンター機能、ファクシミリ機能等、複数の機能を有する。複合機１１は、制御部１２と、操作部１３と、画像読み取り部１４と、画像形成部１５と、ＡＤＦ１６と、手差しトレイ１７と、三つの給紙カセット１８ａ、１８ｂ、１８ｃと、排出トレイ１９とを備える。なお、複合機１１は、種々のデータを記憶する図示しないハードディスクを備える構成としてもよい。
【００１４】
ＣＰＵを含む制御部１２は、複合機１１全体の制御を行う。図１において、制御部１２は、二点鎖線で概略的に示している。タッチパネルを含む操作部１３は、複合機１１側からの情報を表示すると共に、印刷部数や階調等といった画像形成の条件や電源のオンまたはオフをユーザーに入力させる。画像読み取り部１４は、原稿搬送装置としてのＡＤＦ（Ａｕｔｏ  Ｄｏｃｕｍｅｎｔ  Ｆｅｅｄｅｒ）１６または載置台上にセットされた原稿の画像を読み取る。画像形成部１５は、画像読み取り部１４により読み取られた画像データやネットワーク（図示せず）を介して複合機１１に送信された画像データを基に、手差しトレイ１７や複数の給紙カセット１８ａ、１８ｂ、１８ｃにセットされ、搬送されてきた用紙２１に画像を形成する。画像形成部１５により画像を形成された用紙２１は、排出トレイ１９に排出される。
【００１５】
排出トレイ１９は、複合機１１外に設けられている。すなわち、排出トレイ１９は、複合機１１において、筐体の内部側ではなく、開放された空間に露出するようにして設けられている。排出トレイ１９は、後述する定着ローラー２９ａ、２９ｂに対して用紙２１の搬送方向下流側に設けられている。排出トレイ１９は、定着ローラー２９ａ、２９ｂによる用紙２１に対するトナー像の定着後、用紙２１をその上に排出させる。複数枚の用紙２１が排出された場合、用紙２１は、排出トレイ１９上に一枚ずつ積載されることとなる。
【００１６】
次に、複合機１１に備えられる画像形成部１５の構成について、さらに詳細に説明する。画像形成部１５は、ＬＳＵ（Ｌａｓｅｒ  Ｓｃａｎｎｅｒ  Ｕｎｉｔ）２２と、中間転写体としての転写ベルト２３と、転写部としての二次転写ローラー２４とを含む。ＬＳＵ２２については、一点鎖線で概略的に示している。なお、複合機１１は、いわゆる四連タンデム形式の画像形成部１５を備えることとなる。
【００１７】
画像形成部１５は、イエロー、マゼンタ、シアン、ブラックの各４色に対応し、それぞれ感光体２７ａ、２７ｂ、２７ｃ、２７ｄを含む四つの感光体ユニット２６ａ、２６ｂ、２６ｃ、２６ｄ、および四つの現像器としての現像ユニット２８ａ、２８ｂ、２８ｃ、２８ｄを備える。図１において、感光体ユニット２６ａ〜２６ｄ、および現像ユニット２８ａ〜２８ｄについては、それぞれ破線で概略的に示している。
【００１８】
ＬＳＵ２２は、画像読み取り部１４により読み取られた画像データや受信した画像データを基に、四つの感光体２７ａ〜２７ｄに対してそれぞれ露光する。露光された各色の成分の光を基に、感光体２７ａ〜２７ｄ上に静電潜像が形成される。感光体２７ａ〜２７ｄ上に形成された静電潜像に現像ユニット２８ａ〜２８ｄからそれぞれ各色のトナーを供給することで、感光体２７ａ〜２７ｄ上にそれぞれトナー像を形成する。感光体２７ａ〜２７ｄ上に形成されたトナー像はそれぞれ、転写ベルト２３上に一次転写される。転写ベルト２３上に一次転写されたトナー像は、二次転写ローラー２４によって用紙２１に二次転写された後、一対の定着ローラー２９ａ、２９ｂによって用紙２１に定着され、排出トレイ１９に排出される。
【００１９】
ここで、定着ローラー２９ａ、２９ｂの構成について詳述する。定着ローラー２９ａ、２９ｂは、複合機１１内に設けられている。定着ローラー２９ａ、２９ｂは、二次転写ローラー２４に対して、用紙２１の搬送方向下流側に設けられている。定着ローラー２９ａ、２９ｂは、用紙２１が搬送される際にトナー像を用紙２１に定着させるよう定着可能な温度に加熱されている。一対の定着ローラー２９ａ、２９ｂのうち、トナー像が転写された側において用紙２１と当接する定着ローラー２９ａは、その内部にヒーターが設けられた加熱ローラーとも呼ばれる。一方、トナー像が転写されていない側において用紙２１と当接する定着ローラー２９ｂは、ゴム状の部材から構成される加圧ローラーとも呼ばれる。定着ローラー２９ａ、２９ｂは、二次転写ローラー２４によりトナー像が転写された用紙２１を搬送方向下流側に搬送しながらトナー像を用紙２１に定着させる。
【００２０】
複合機１１はまた、一対の搬送ローラー３２ａ、３２ｂと、冷却機構としての冷却ファン３３と、用紙検知部としてのアクチュエーター３６とを備える。一対の搬送ローラー３２ａ、３２ｂは、定着ローラー２９ａ、２９ｂの搬送方向下流側であって、排出トレイ１９の搬送方向上流側に設けられている。搬送ローラー３２ａ、３２ｂにより、最終的に用紙２１は排出トレイ１９に排出される。
【００２１】
冷却ファン３３は、装置構成上、定着ローラー２９ａ、２９ｂ、搬送ローラー３２ａ、３２ｂの上方側に設けられている。冷却ファン３３を作動させて、風を引き起こすことができる。引き起こされた風は、冷却風路３４を利用して矢印Ｄ２の方向に送られる。このようにして、冷却ファン３３は、作動により、排出トレイ１９上に送風することができる。この冷却ファン３３に引き起こされた風により、排出トレイ１９上に排出された用紙２１を上側から冷却することができる。
【００２２】
アクチュエーター３６は、排出トレイ１９に用紙２１が排出される際に用紙２１に当接して、用紙２１が排出トレイ１９に排出されたことを検知する。アクチュエーター３６は、棒状である。排出トレイ１９の上部側に位置する取り付け部３７に、アクチュエーター３６の一方の端部３８ａが取り付けられている。アクチュエーター３６は、端部３８ａを支点として、所定の角度に回動可能に支持されている。アクチュエーター３６の回動の方向は、図３中の矢印Ｒ１の方向である。アクチュエーター３６のうち、取り付け部３７に取り付けられた端部３８ａと反対側の端部３８ｂは、回動方向に折り曲げられている。すなわち、アクチュエーター３６は、端部３８ａ、３８ｂ間に折り曲げ部３９を有する構成である。アクチュエーター３６は、取り付け部３７に取り付けられた一方側の端部３８ａを除き、複合機１１の外側に設けられていることとなる。
【００２３】
搬送ローラー３２ａ、３２ｂ側から搬送されてきた用紙２１は、搬送方向の上流側の端部がアクチュエーター３６に当接する。そのまま用紙２１によりアクチュエーター３６は用紙２１の搬送方向に押され、矢印Ｒ１の方向に回動する。所定の角度までアクチュエーター３６が回転したことを検知すれば、用紙２１がアクチュエーター３６の設けられた位置を通過したことを検知する。排出された用紙２１は、自重によって排出トレイ１９上に載置されるようにして排出される。用紙２１の排出後、アクチュエーター３６は、用紙２１に押された状態が解除されるため、アクチュエーター３６の自重により回動前の状態に戻る。この時、用紙２１の上、具体的には、用紙２１の搬送方向の後端部側に近い位置に折り曲げ部３９が当接された状態となる。図２および図３において、支点を中心としたアクチュエーター３６の角度は異なるものの、アクチュエーター３６の折り曲げ部３９は、最も上に排出された用紙２１の上面に当接することとなる。
【００２４】
ここで、最も上に排出される用紙と当接するアクチュエーター３６の折り曲げ部３９には、用紙２１の温度を検知する温度検知部としてのサーミスタ４１が設けられている。具体的には、サーミスタ４１は、用紙２１と当接する折り曲げ部３９の下側の位置に設けられている。この場合、アクチュエーター３６の折り曲げ部３９は、複合機１１外に設けられているため、サーミスタ４１は、複合機１１外に設けられていることとなる。サーミスタ４１は、当接する用紙２１、この場合、具体的には、排出トレイ１９上に排出された用紙２１のうち、最も上に排出される用紙２１の温度を検知する。
【００２５】
このような構成の複合機１１によれば、複合機１１外にサーミスタ４１が設けられているため、複合機１１の大きさを不必要に大きくする必要はなく、複合機１１をコンパクトな構成とすることができる。この場合、アクチュエーター３６は、元々複合機１１に備えられていた部材であるため、新たにサーミスタ４１を取り付けるための部材を複合機１１に設ける必要はない。また、サーミスタ４１は用紙２１と当接する位置であって複合機１１外に設けられているため、正確に用紙２１の温度を検知することができる。したがって、このような構成の複合機１１は、コンパクトな構成で、正確に排出された用紙２１の温度を検知することができる。
【００２６】
この場合、サーミスタ４１は、排出トレイ１９上の最も上の用紙２１に当接する構成であるため、最も上の用紙２１の温度を正確に検知することができる。
【００２７】
なお、排出された用紙２１の温度を検知した後の管理については、以下の通りである。図４は、排出された用紙２１の温度を管理する場合の処理の流れを示すフローチャートである。
【００２８】
図４を参照して、複数枚の用紙２１を用いた画像形成が開始されると、次々に画像が形成された用紙２１が排出トレイ１９上に排出される。そうすると、アクチュエーター３６に設けられたサーミスタ４１により、排出トレイ１９上の最も上の用紙２１の温度を検知する（図４において、ステップＳ１１、以下、「ステップ」を省略する）。
【００２９】
その後、最も上の用紙２１の温度が所定の温度以下であるか否かを判断する（Ｓ１２）。所定の温度については、用いられるトナーの種類等によって定められる。所定の温度以下ではない、すなわち、所定の温度よりも高いと判断されれば（Ｓ１２において、ＮＯ）、制御部１２は、冷却ファン３３を作動させるよう制御する（Ｓ１３）。そして、冷却ファン３３により排出トレイ１９上に送風して、用紙２１を冷却する。所定の温度以下であれば（Ｓ１２において、ＹＥＳ）、冷却ファン３３を作動させず、そのまま画像形成が終了するまで画像形成を続ける（Ｓ１４において、ＹＥＳ）。このようにして、排出トレイ１９上の用紙２１が高温となってしまうことを抑制する。
【００３０】
なお、上記の実施の形態においては、サーミスタ４１は、アクチュエーター３６に設けることとしたが、これに限らず、サーミスタを排出トレイ１９に設けることとしてもよい。この場合、排出トレイ１９のうち、排出される用紙２１の後端側に位置するよう設けるようにする。
【００３１】
図５は、この発明の他の実施形態に係る複合機４３に含まれる排出トレイ１９近辺の構成を示す図である。図５は、図３に対応するものである。図５において、図３と同様の構成については、同一の符号を付して、それらの説明を省略する。
【００３２】
図１〜図５を参照して、排出トレイ１９には、サーミスタ４２が設けられている。サーミスタ４２は、排出トレイ１９のうち、排出される用紙２１の後端側に位置するよう設けられている。
【００３３】
このように構成することにより排出トレイ１９に排出された用紙２１、この場合、具体的には、最初に排出された用紙２１と当接する位置にサーミスタ４２が設けられているため、正確に用紙２１の温度を検知することができる。最初に排出された用紙２１とは、排出トレイ１９上において、最も下に位置する用紙２１を意味する。この場合、最初に排出された用紙２１の温度に基づいて、最も上に排出される用紙２１の温度を導出することができる。
【００３４】
図６は、図５に示す場合の複合機４３の構成を示すブロック図である。図６を参照して、複合機４３は、制御部１２と、操作部１３と、画像読み取り部１４と、画像形成部１５と、ハードディスク４４とを備える。また、制御部１２は、温度導出部４５を含む。図６に示す複合機４３における基本的な構成は、図１に示す複合機１１の構成と同じである。すなわち、サーミスタ４２の取り付け位置が異なり、新たにハードディスク４４、および温度導出部４５の構成を加えるものである。
【００３５】
ここで、温度導出部４５による温度の導出の一例について説明する。図７は、用紙の温度と連続印刷の時間との関係を示すグラフである。図７において、線４６ａは、連続印刷の最後に排出された用紙２１の温度を示し、線４６ｂは、連続印刷の１枚目に排出された用紙２１の温度を示し、線４６ｃは、１０枚連続して印刷した場合の１０枚目の用紙２１の温度を示す。連続印刷としては、連続して２０分印刷を続けた場合である。なお、例えば、毎分２０枚の用紙２１を印刷する複合機４３であれば、２０分連続で、４００枚の印刷を行うことができる。
【００３６】
図７を参照して、線４６ｃによると、１０枚連続して印刷した場合、１０枚目の用紙２１の温度は、下がり続ける傾向にある。すなわち、特に冷却ファン３３の作動を考慮する必要はない。
【００３７】
一方、線４６ａによると、連続印刷の最後に排出された用紙２１は、温度が上がり続けている。具体的には、２０分間の印刷において、２０分経過まで温度が上がり続けている。線４６ｂによると、連続印刷の１枚目に排出された用紙２１の温度についても、２０分間の印刷において、２０分経過まで温度が上がり続けている。これは、積載された用紙２１において温度が下がりきらずに次の用紙２１が積載されていくことにより、熱が蓄積されていく傾向があるからであると考えられる。線４６ａ、線４６ｂのそれぞれについて、２０分経過後、徐々に温度が下がっていく。
【００３８】
線４６ａと線４６ｂにおいて、印刷開始して２〜３分経過後から２０分まで、温度が上昇していく比率がほとんど同じである。したがって、一例としては、この相関関係に基づき、温度導出部４５は、排出トレイ１９に設けられたサーミスタ４２により検知された温度から、最も上に排出される用紙２１の温度を導出する。そして、導出された温度に基づき、冷却ファン３３の作動状態を制御する。なお、この相関関係のデータについては、ハードディスク４４により記憶されている。温度導出部４５は、必要に応じて、ハードディスク４４に記憶された相関関係のデータを利用して、最も上に排出された用紙２１の温度を導出する。
【００３９】
なお、上記の実施の形態において、サーミスタ４２は、排出トレイ１９のうち、排出される用紙２１の後端側に位置するよう設けられることとしたが、これに限らず、サーミスタ４２は、排出トレイ１９のうち、排出される用紙２１の前端側や中央側に位置するよう設けられることとしてもよい。
【００４０】
また、温度導出部４５は、図７に示す相関関係に基づいて最も上に排出される用紙２１の温度を導出することとしたが、これに限らず、最も上に排出された用紙２１の温度と、最も下に排出された用紙２１の温度との関係を、テーブル形式のデータでハードディスク４４に記憶させておき、このテーブル形式のデータを用いて最も上に排出される用紙２１の温度を導出してもよい。
【００４１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４２】
この発明に係る画像形成装置は、コンパクトな構成、かつ排出された用紙の温度の正確な検知が要求される場合に、特に有効に利用される。
【符号の説明】
【００４３】
１１，４３  複合機、１２  制御部、１３  操作部、１４  画像読み取り部、１５  画像形成部、１６  ＡＤＦ、１７  手差しトレイ、１８ａ，１８ｂ，１８ｃ  給紙カセット、１９  排出トレイ、２１  用紙、２２  ＬＳＵ、２３  転写ベルト、２４  二次転写ローラー、２６ａ，２６ｂ，２６ｃ，２６ｄ  感光体ユニット、２７ａ，２７ｂ，２７ｃ，２７ｄ  感光体、２８ａ，２８ｂ，２８ｃ，２８ｄ  現像ユニット、２９ａ，２９ｂ  定着ローラー、３２ａ，３２ｂ  搬送ローラー、３３  冷却ファン、３４  冷却風路、３６  アクチュエーター、３７  取り付け部、３８ａ，３８ｂ  端部、３９  折り曲げ部、４１，４２  サーミスタ、４４  ハードディスク、４５  温度導出部、４６ａ，４６ｂ，４６ｃ  線。
【図１】
2018016467.tif 000003
【図２】
2018016467.tif 000004
【図３】
2018016467.tif 000005
【図４】
2018016467.tif 000006
【図５】
2018016467.tif 000007
【図６】
2018016467.tif 000008
【図７】
2018016467.tif 000009